【手続補正書】
【提出日】平成20年4月2日(2008.4.2)
【手続補正１】
【補正対象書類名】明細書
【補正対象項目名】特許請求の範囲
【補正方法】変更
【補正の内容】
【特許請求の範囲】
【請求項１】 第１のドメインに属する第１サーバが、ユーザから認証要求を受け付けるステップと、
前記第１サーバが、前記認証を完了した場合に、第２のドメインに属する第２サーバへのリンク情報であって該ユーザが前記第１サーバにより認証済みであることを示すユーザ認証情報を有するリンク情報を含む、前記ユーザの認証完了画面構成データをユーザ端末へ送信するステップと、
前記ユーザ端末のブラウザが前記第２サーバへのリンク情報を解釈する際に、前記ユーザ端末が前記第２サーバにアクセスして、該ユーザが前記第１サーバにより認証済みであることを示すユーザ認証情報を前記第２サーバに送信するステップと、
前記第２サーバが、前記ユーザ端末に向けて、前記ユーザ認証情報を含むクッキーを送信するステップと、
前記ユーザが前記第２サーバにアクセスした際に、前記第２サーバが、前記クッキーを受信し該クッキー内の前記ユーザ認証情報を参照することにより、該ユーザの認証を行うステップと、
を有することを特徴とするユーザ認証方法。
【請求項２】 第１のドメインに属する第１サーバが、ユーザから認証要求を受け付けるステップと、
前記第１サーバが、前記認証を完了した場合に、第２のドメインに属する第２サーバへのリンク情報であって該ユーザが前記第１サーバにより認証済みであることを示すユーザ認証情報及び該ユーザの属性情報を有するリンク情報を含む、前記ユーザの認証完了画面構成データをユーザ端末へ送信するステップと、
前記ユーザ端末のブラウザが前記第２サーバへのリンク情報を解釈する際に、前記ユーザ端末が前記第２サーバにアクセスして、該ユーザが前記第１サーバにより認証済みであることを示すユーザ認証情報及び該ユーザの属性情報を前記第２サーバに送信するステップと、
前記第２サーバが、前記ユーザ端末に向けて、前記ユーザ認証情報及び該ユーザの属性情報を含むクッキーを送信するステップと、
前記ユーザが前記第２サーバにアクセスした際に、前記第２サーバが、前記クッキーを受信し該クッキー内の前記ユーザ認証情報及び該ユーザの属性情報を参照することにより、該ユーザの認証を行うステップと、
を有することを特徴とするユーザ認証方法。
【請求項３】 第１のドメインに属する第１サーバが、ユーザから認証要求を受け付けるステップと、
前記第１サーバが、前記認証を完了した場合に、第２のドメインに属する第２サーバへのリンク情報であって該ユーザが前記第１サーバにより認証済みであることを示すユーザ認証情報及び該ユーザの属性情報を有するリンク情報を含む、前記ユーザの認証完了画面構成データをユーザ端末へ送信するステップと、
前記ユーザ端末のブラウザが前記第２サーバへのリンク情報を解釈する際に、前記ユーザ端末が前記第２サーバにアクセスして、該ユーザが前記第１サーバにより認証済みであることを示すユーザ認証情報及び該ユーザの属性情報を前記第２サーバに送信するステップと、
前記第２サーバが、前記ユーザ端末に向けて、前記ユーザ認証情報及び該ユーザの属性情報を含むクッキーを送信するステップと、
前記ユーザが前記第２サーバにアクセスした際に、前記第２サーバが、前記クッキーを受信し該クッキー内の前記ユーザ属性情報を第１サーバへのリンク情報に付加し、このリンク情報を前記ユーザ端末に送信するステップと、
前記ユーザ端末のブラウザが前記リンク情報を解釈する際に、前記第１サーバに前記ユーザ属性情報を送信するステップと、
前記第１サーバが受信した前記ユーザ属性情報と、前記ユーザ端末へ送信したユーザ属性情報とを照合し、照合結果を前記第２サーバへ送信するステップと、
前記第２サーバが、受信した照合結果を参照することにより、該ユーザの認証を行うステップと、
を有することを特徴とするユーザ認証方法。
【請求項４】  請求項３に記載のユーザ認証方法において、
前記ユーザ属性情報は、重要度の異なる複数のユーザ属性情報からなり、該複数のユーザ属性情報を個別に確認することにより、複数レベルのユーザ認証を行うことを特徴とするユーザ認証方法。
【請求項５】  請求項１乃至４に記載のユーザ認証方法において、
前記第１及び第２のドメインサーバは、セキュアサーバであり、通信される前記ユーザ認証情報は、暗号化されたものであることを特徴とするユーザ認証方法。
【請求項６】 第１のドメインに属する第１サーバと、第２のドメインに属する第２サーバとを有するユーザ認証システムであって、
前記第１サーバが、ユーザから認証要求を受け付け、
前記第１サーバが、前記認証を完了した場合に、前記第２サーバへのリンク情報であって該ユーザが前記第１サーバにより認証済みであることを示すユーザ認証情報を有するリンク情報を含む、前記ユーザの認証完了画面構成データをユーザ端末へ送信し、
前記ユーザ端末のブラウザが前記第２サーバへのリンク情報を解釈する際に、前記ユーザ端末が前記第２サーバにアクセスして、該ユーザが前記第１サーバにより認証済みであることを示すユーザ認証情報を前記第２サーバに送信し、
前記第２サーバが、前記ユーザ端末に向けて、前記ユーザ認証情報を含むクッキーを送信し、
前記ユーザが前記第２サーバにアクセスした際に、前記第２サーバが、前記クッキーを受信し該クッキー内の前記ユーザ認証情報を参照することにより、該ユーザの認証を行う、
ことを特徴とするユーザ認証システム。
【請求項７】  第１のドメインに属する第１サーバと、第２のドメインに属する第２サーバとを有するユーザ認証システムであって、
前記第１サーバが、ユーザから認証要求を受け付け、
前記第１サーバが、前記認証を完了した場合に、前記第２サーバへのリンク情報であって該ユーザが前記第１サーバにより認証済みであることを示すユーザ認証情報及び該ユーザの属性情報を有するリンク情報を含む、前記ユーザの認証完了画面構成データをユーザ端末へ送信し、
前記ユーザ端末のブラウザが前記第２サーバへのリンク情報を解釈する際に、前記ユーザ端末が前記第２サーバにアクセスして、該ユーザが前記第１サーバにより認証済みであることを示すユーザ認証情報及び該ユーザの属性情報を前記第２サーバに送信し、
前記第２サーバが、前記ユーザ端末に向けて、前記ユーザ認証情報及び該ユーザの属性情報を含むクッキーを送信し、
前記ユーザが前記第２サーバにアクセスした際に、前記第２サーバが、前記クッキーを受信し該クッキー内の前記ユーザ認証情報及び該ユーザの属性情報を参照することにより、該ユーザの認証を行う、
ことを特徴とするユーザ認証システム。
【請求項８】  第１のドメインに属する第１サーバと、第２のドメインに属する第２サーバとを有するユーザ認証システムであって、
前記第１サーバが、ユーザから認証要求を受け付け、
前記第１サーバが、前記認証を完了した場合に、前記第２サーバへのリンク情報であって該ユーザが前記第１サーバにより認証済みであることを示すユーザ認証情報及び該ユーザの属性情報を有するリンク情報を含む、前記ユーザの認証完了画面構成データをユーザ端末へ送信し、
前記ユーザ端末のブラウザが前記第２サーバへのリンク情報を解釈する際に、前記ユーザ端末が前記第２サーバにアクセスして、該ユーザが前記第１サーバにより認証済みであることを示すユーザ認証情報及び該ユーザの属性情報を前記第２サーバに送信し、
前記第２サーバが、前記ユーザ端末に向けて、前記ユーザ認証情報及び該ユーザの属性情報を含むクッキーを送信し、
前記ユーザが前記第２サーバにアクセスした際に、前記第２サーバが、前記クッキーを受信し該クッキー内の前記ユーザ属性情報を第１サーバへのリンク情報に付加し、このリンク情報を前記ユーザ端末に送信し、
前記ユーザ端末のブラウザが前記リンク情報を解釈する際に、前記第１サーバに前記ユーザ属性情報を送信し、
前記第１サーバが受信した前記ユーザ属性情報と、前記ユーザ端末へ送信したユーザ属性情報とを照合し、照合結果を前記第２サーバへ送信し、
前記第２サーバが、受信した照合結果を参照することにより、該ユーザの認証を行う、
ことを特徴とするユーザ認証システム。
【請求項９】  請求項８に記載のユーザ認証システムにおいて、
前記ユーザ属性情報は、重要度の異なる複数のユーザ属性情報からなり、該複数のユーザ属性情報を個別に確認することにより、複数レベルのユーザ認証を行うことを特徴とするユーザ認証システム。
【請求項１０】  請求項６乃至９に記載のユーザ認証システムにおいて、
前記第１及び第２のドメインサーバは、セキュアサーバであり、通信される前記ユーザ認証情報は、暗号化されたものであることを特徴とするユーザ認証システム。